(57)【要約】【課題】片面側に畝部を有する畝状ダブルラッセル地として、畝部にゆがみがなく、且つ畝部がコース方向にずれることがなく、耐スクラッチ性の良好な編地を提供する。【解決手段】表裏２枚の地組織とこれらを連結する連結糸とからなり、少なくとも一方の地組織の側に複数の畝部４を有する畝状ダブルラッセル地１０であり、一列の畝部４につき一本の割合で配された挿入糸５を、所定の振り幅でコース毎に畝部の端部に編成係止して挿入し、少なくとも一部のコースにおいて挿入糸５を隣り合う二列の畝部４，４に橋渡し挿入して両畝部の外側両端部に編成係止して、畝部を構成する編目列７を結束するように編成する。【選択図】図３
2008255508.tif 000002
【特許請求の範囲】
【請求項１】
表裏２枚の地組織とこれらを連結する連結糸とからなり、少なくとも一方の地組織の側に複数の畝部が形成されている畝状ダブルラッセル地であって、前記畝部が形成されている側の地組織には、前記畝部の幅に応じた間隔をおいて一列の畝部につき一本の割合で配された挿入糸が、所定の振り幅でコース毎に畝部の端部に編成係止されて挿入されており、少なくとも一部のコースにおいて前記挿入糸が隣り合う二列の畝部に橋渡し挿入され、且つ該二列の畝部の外側両端部に編成係止された部分を有することを特徴とする畝状ダブルラッセル地。
【請求項２】
挿入糸が、畝部を形成する編目列のウエル数に応じた間隔をおいて配され、前記畝部のウエル数の２倍の振り幅で隣り合う二列の畝部に橋渡し挿入され、他のコースでは前記畝部のウエル数と同じ振り幅で挿入されてなる請求項１に記載の畝状ダブルラッセル地。
【請求項３】
下記式で表される挿入糸の橋渡し挿入部分の割合が２０〜１００％であることを特徴とする請求項１又は２に記載の畝状ダブルラッセル地。
橋渡し挿入部分の割合（％）  ＝  Ａ／Ｂ×１００
Ａ：繰返し単位において挿入糸を隣り合う二列の畝部に橋渡し挿入した部分の数
Ｂ：繰返し単位におけるコース数
【請求項４】
畝部を形成する編目列のウエル数が２〜１０ウエルの範囲であることを特徴とする請求項１〜３のいずれか１項に記載の畝状ダブルラッセル地。
【請求項５】
畝部が鎖編目列と挿入糸から形成されていることを特徴とする請求項１〜４のいずれか１項に記載の畝状ダブルラッセル地。
【請求項６】
表裏２枚の地組織とこれらを連結する連結糸とからなり、少なくとも一方の地組織の側に複数の畝部が形成されている畝状ダブルラッセル地の製造方法であって、前記畝部を形成する側の地組織において、畝部の幅に応じた間隔をおいて一列の畝部につき一本の割合で配した挿入糸を、所定の振り幅でコース毎に畝部の端部に編成係止しながら折り返して挿入し、少なくとも一部のコースで前記該挿入糸を隣り合う二列の畝部に橋渡し挿入し、且つ隣り合う二列の畝部の外側両端部に編成係止して挿入することを特徴とする畝状ダブルラッセル地の製造方法。
【発明の詳細な説明】
【技術分野】
【０００１】
本発明は、表裏２枚の地組織とこれらを連結する連結糸とからなるダブルラッセル地に関するものであって、特には、少なくとも一方の地組織の側に複数の畝部を有する構成とした畝状ダブルラッセル地に関するものである。
【背景技術】
【０００２】
従来、表裏２枚の地組織とこれらを連結する連結糸とからなるダブルラッセル地は、そのクッション性や反発力の利点から、衣料、産業資材、車両内装材などの用途に多く使用されている。
【０００３】
近年、このようなダブルラッセル地において更なる意匠効果を呈するものとして、表裏一方側において複数の畝状の突出部すなわち畝部を有する畝状編地について提案されている。
【０００４】
例えば、特許文献１では、三次元立体編物の表編地を、連続した複数ウエルにおける編目の連綴によってウエル方向（編方向）に伸びた帯状編地部を形成し、これら帯状編地部の隣同士が相互に離間して配置されることによって、帯状編地部と連結糸とで構成される突出状の畝部がウエル方向に沿って多数形成された三次元立体編物とし、隣り合う帯状編地部同士がウエル方向に断続的に接結されることによって着座感を向上させることや、連結糸の一部を隣り合う畝部を構成している帯状編地部の直下領域に対応する位置で裏編地に連結することにより偏座屈を効果的に防止することが開示されている。
【０００５】
特許文献２では、表裏２枚の地組織とこれらを連結する連結糸とからなるダブルラッセル地において、表側に帯状細幅部を適宜の間隔を持って並設し、この帯状細幅部を連結糸で裏地組織部に連結して畝状凸部を形成した畝状ダブルラッセル地とし、畝状凸部において連結糸を斜め方向に張り出し、コース方向（編地幅方向）断面において台形形状であることにより、上からの押圧力に対し横ずれが生じず、また、帯状細幅部が編地内側に巻き込みコース方向断面において楕円形状を成していることによって、通気性とクッション性を両立できることが開示されている。
【０００６】
特許文献３では、表裏の少なくとも一方の面が経畝構造であるダブルラッセル地において、経畝部の組織が鎖編と挿入編からなり、且つ、鎖編は少なくとも異なる２組の筬から供給する２本の経糸で編成し、隣接する経畝間の所々で鎖編を編成する一方の筬の経糸が右隣の経畝と、他方の筬の経糸が左隣の経畝と結接構造を形成することにより、経畝部の編目列がひも状に収束せず、表面がフラットで外観が良好であり、地糸切れがない経畝構造のダブルラッセル地について開示されている。
【０００７】
しかしながら、特許文献１については、接結部分が畝部（帯状編地部）と同様の組織で形成されているため、接結部分が太くなってしまい経畝状というよりはメッシュ状となり目的とする意匠が得られないという問題や、連結糸が張り出して形成されているため、畝と畝の間に連結糸が露出し意匠に制約を与えるという問題や、突起物によって露出された連結糸が引き出されやすく所謂耐スクラッチ性が悪くなるという問題があった。また、畝部（帯状編地部）がデンビ編組織やコード編組織によって形成されているため、畝部に張力が働きフラットな表面を持つ畝部が得られず、例えば起毛加工などを行なった場合には畝部の頂点のみが起毛されてしまい、畝部を均一に起毛できないという問題があった。
【０００８】
特許文献２については、畝状凸部において連結糸を斜め方向に張り出しコース方向断面において台形形状としているため、畝と畝の間に連結糸が露出し意匠に制約を与えるという問題や、突起物によって露出された連結糸が引き出されやすく所謂耐スクラッチ性が悪くなるという問題があり、さらに畝部（帯状細幅部）が編地内側に巻き込みコース方向断面において楕円形状を成しているため、例えば起毛加工などを行なった場合には畝部の頂点のみが起毛されてしまい畝部を均一に起毛できないという問題があった。
【０００９】
特許文献３については、畝部を形成する経糸を左右に移動させることによって接結構造を形成しているため、畝部を形成する組織が部分的に切り替わるため、切り替わり部分に凹凸が生じ畝部に段差ができ意匠性に影響したり、経糸が左右に移動することによる張力で畝部がゆがんだりする虞がある。また、起毛加工を行なう場合は、畝部を形成する組織が部分的に切り替わっているため均一に起毛されないという問題や、接結構造が畝部の経糸によって形成されているため、起毛時に畝部のみならず接結構造部分も起毛されるという問題があった。
【特許文献１】特開２００２−１３８３５２号公報
【特許文献２】特開２００３−１１３５６２号公報
【特許文献３】特開２００４−２３２１０９号公報
【発明の開示】
【発明が解決しようとする課題】
【００１０】
本発明は、表裏２枚の地組織とこれらを連結する連結糸とからなり、少なくとも一方の地組織の側に複数の畝部を有する畝状ダブルラッセル地において、畝部にゆがみがなく、且つ畝部がコース方向にずれることがなく、耐スクラッチ性の良好な畝状ダブルラッセル地を提供する。さらに好ましくは、畝部表面がフラットで、起毛性の良好な畝状ダブルラッセル地を提供する。
【課題を解決するための手段】
【００１１】
本発明は、表裏２枚の地組織とこれらを連結する連結糸とからなり、少なくとも一方の地組織の側に複数の畝部が形成されている畝状ダブルラッセル地であって、上記の課題を解決するために、前記畝部が形成されている側の地組織には、前記畝部の幅に応じた間隔をおいて一列の畝部につき一本の割合で配された挿入糸が、所定の振り幅でコース毎に畝部の端部に編成係止されて挿入されており、少なくとも一部のコースにおいて前記挿入糸が隣り合う二列の畝部に橋渡し挿入され、且つ該二列の畝部の外側両端部に編成係止された部分を有することを特徴とする。
【００１２】
前記発明の畝状ダブルラッセル地において、前記挿入糸が、前記畝部を形成する編目列のウエル数に応じた間隔をおいて配され、前記畝部のウエル数の２倍の振り幅で隣り合う二列の畝部に橋渡し挿入され、他のコースでは前記畝部のウエル数と同じ振り幅で挿入されてなるものである。
【００１３】
前記各発明の畝状ダブルラッセル地において、下記式で表される前記挿入糸の橋渡し挿入部分のコース数に対する割合は２０〜１００％であるものが好適である。 
橋渡し挿入部分の割合（％）  ＝  Ａ／Ｂ×１００
Ａ：繰返し単位において挿入糸を隣り合う二列の畝部に橋渡し挿入した部分の数
Ｂ：繰返し単位におけるコース数
【００１４】
前記各発明の畝状ダブルラッセル地において、畝部を形成する編目列のウエル数が２〜１０ウエルの範囲であるものが好ましい。
【００１５】
また、前記各発明の畝状ダブルラッセル地において、前記畝部が鎖編目列と挿入糸から形成されているものとするのがよい。
【００１６】
また、本発明は、表裏２枚の地組織とこれらを連結する連結糸とからなり、少なくとも一方の地組織の側に複数の畝部が形成されているダブルラッセル地の製造方法であって、前記畝部を形成する側の地組織において、畝部の幅に応じた間隔をおいて一列の畝部につき一本の割合で配した挿入糸を、所定の振り幅でコース毎に畝部の端部に編成係止しながら折り返して挿入し、少なくとも一部のコースで前記該挿入糸を隣り合う二列の畝部に橋渡し挿入し、且つ隣り合う二列の畝部の外側両端部に編成係止して挿入することを特徴とする。
【発明の効果】
【００１７】
本発明によれば、畝部にゆがみがなく、且つ畝部がコース方向にずれることがなく、耐スクラッチ性の良好な畝状ダブルラッセル地を提供できる。さらに、畝部を鎖編目列と挿入糸からなる地組織に限定することにより、畝部表面がフラットで、起毛性の良好な畝状ダブルラッセル地を提供できる。
【発明を実施するための最良の形態】
【００１８】
以下、本発明を実施するための最良の形態について詳細に説明する。
【００１９】
図１はダブルラッセル編機の概略構成図、図２は本発明の畝状ダブルラッセル地の斜視断面の概略図である。図３は本発明における畝部の編目列と挿入糸による構成形態の説明図、図４(ａ)（ｂ）は、それぞれ挿入糸による張力を説明する図であり、図５は耐スクラッチ性の測定サンプルを説明する図である。図６は実施例１の組織図、図７は実施例４の組織図、図８〜図１１は実施例１〜４の畝部の編目列と挿入糸の説明図である。図１２〜図１４は比較例１〜３の編目列と挿入糸の説明図である。
【００２０】
本発明の畝状ダブルラッセル地１０は、図２のように、表裏２枚の編地をなす地組織１，２と、これらを連結する連結糸３とからなり、少なくとも一方の地組織２の側に複数の畝部４が形成されており、前記畝部４の幅に応じた間隔をおいて一列の畝部４につき一本の割合で配された挿入糸５が、所定の振り幅でコース毎に畝部４の端部に編成係止されて反対方向に折り返すように横振り挿入されており、特に、少なくとも一部のコースにおいて前記挿入糸５が隣り合う二列の畝部４，４に橋渡し挿入され、且つ該二列の畝部４，４の外側両端に編成係止された部分を有することを特徴とする。
【００２１】
本発明の畝状ダブルラッセル地１０は、例えば、図１に示すように編機幅方向に整列して前後に間隔をおいて配置された前後２列のニードル列を有し、且つ該ニードル列の上方に５枚の筬Ｌ１〜Ｌ５を有するダブルラッセル機を用いて編成することができる。
【００２２】
例えば、筬Ｌ１、Ｌ２に導糸された編糸Ａ１，Ａ２を地糸としてニードルＮ１により表裏の一方の非畝状の地組織１を編成し、筬Ｌ４、Ｌ５に導糸された編糸Ａ４，Ａ５を地糸としてニードルＮ２により他方の地組織２、すなわち後述するように畝状に突出した所謂畝部４を構成する畝状の地組織２を編成し、筬Ｌ３に導糸された編糸Ａ３を連結糸３として前記両ニードルＮ１、Ｎ２により前記両地組織地１，２に順次編み込み、前記両地組織１，２を連結する。図中のＢ１〜Ｂ５は編糸供給用のビーム、Ｇ１〜Ｇ５は各筬Ｌ１〜Ｌ５のガイド、Ｍ１，Ｍ２は針釜を示す。
【００２３】
本発明の畝状ダブルラッセル地１０を編成するにおいて、前記一方の非畝状の地組織１は、前記のように筬Ｌ１、Ｌ２に導糸された編糸Ａ１，Ａ２を用いて編成する。この地組織１の編組織は、特に限定はされないが、強度や保形性の観点から、凹凸が少なく、大きな開口部のない均一で一様な組織、例えば平編等の無地組織が好ましく用いられる。
【００２４】
他方の地組織（畝状の地組織）２については、図３のように、筬Ｌ４に導糸された編糸Ａ４を用いて編目ループ６が経方向に連綴された編目列７を形成するとともに、筬Ｌ５により導糸される編糸Ａ５を、地糸のうちの編目形成せずに横振り挿入される所謂挿入糸５（以下、本発明では挿入糸とする）として、一列の畝部４の幅に応じた間隔、すなわち一列の畝部４を形成する編目列７のウエル数Ｎに応じた間隔をおいて適宜糸抜きし、前記ウエル数Ｎの編目列７よりなる一列の畝部４につき一本の割合にして１イン、（Ｎ−１）アウトで配し、前記畝部４の幅に応じた所定の振り幅でコース毎に交互に前記畝部４の端部の編目列７に編成係止するように反対方向に折り返して挿入し、前記ウエル数Ｎの編目列７をそれぞれ挿入糸５により結束することにより、一列の畝部４を構成する畝状の地組織２を形成する。
【００２５】
このとき、少なくとも一部のコースにおいては、例えば図３の上半部に示すように、一列の畝部４につき一本の割合で配された挿入糸５の振り幅を、前記一列の畝部４を形成する編目列７のウエル数Ｎの２倍（２Ｎ）の振り幅にして、隣り合う２列の畝部４，４に橋渡し挿入し、且つ、隣り合う２列の畝部４，４の外側両端部（橋渡し挿入部分からみて外側になる端部）の編目列７，７に交互に編成係止するように反対方向に折り返して編成する。
【００２６】
例えば、前記畝部４が図３のように４ウエルの編目列７よりなる場合は、前記挿入糸５を４ウエルにつき一本になるように１イン、３アウトで配して、前記のように畝部４のウエル数の２倍の８ウエルの振り幅で隣り合う二列の畝部４，４に橋渡し挿入し、両畝部４，４の外側両端部の編目列７に編成係止するように挿入する。また、前記以外の他の挿入部分は、図３の下半部に示すように、前記挿入糸５が一列の畝部４の両端の編目列７，７に交互に編成係止されてコース毎に折り返し挿入される。
【００２７】
これにより、図３の右図に示すように、各畝部４の編目列７が挿入糸５の張力で結束されて畝状に突出した形状の所謂畝部４が形成され、全体として畝状をなす地組織２が編成されるのである。図中の５ａは前記挿入糸５の橋渡し挿入部分を示し、５ｂは前記挿入糸５を編成係止した部分を示している。
【００２８】
なお、筬Ｌ４に導糸される地糸である編糸Ａ４については、畝部４を構成する編目列７が鎖編を基本として、これを挿入糸５により結束して畝状に形成する場合、糸抜きは不要である。また、前記畝部３を形成する地組織２が、デンビ編組織、コード編組織等の横に移動する地組織の場合は、前記畝部３と畝部３との間を分離するために、横に移動する針数に応じた糸抜きが必要になる。
【００２９】
前記のように挿入糸５が隣り合う二列の畝部４，４に橋渡し挿入されることにより、各畝部４には２本の挿入糸５，５が隣り合う二列の畝部４，４の外側両端で折り返されて編成係止されることになり、その結果、図４（ａ）の矢印のような張力が各畝部４，４を形成する編目列７に加わることになり、そのため各畝部４の編目列７が引き寄せられ、図４（ａ）の右図のように強固に結束される。このように挿入糸５の張力で畝部４が結束されるため、各畝部４において該畝部４を形成する編目列７の隙間が小さくなり、ひいては凹凸の少ないフラットな表面を有する畝部４を形成することが可能となり、図２に例示するような畝状ダブルラッセル地１０が得られる。
【００３０】
これに対して、図４（ｂ）のように、仮に、挿入糸５が一つの畝部４にのみ両側端部の編目列７で折り返すように編成係止されて挿入されているだけの場合には、挿入糸５による張力が小さくなり、畝部４を形成する編目列７を十分に結束することができなくなる。また、横方向にずれやすく、まっすぐな畝部４の形成が困難である。
【００３１】
なお、図１３のように、挿入糸５が一つの畝部４に対して、複数本挿入された場合は、挿入糸５が畝部４に編成係止されて折り返すことによって生じる張力が相殺されてしまい、畝部４を形成する編目列７を十分に結束することができなくなる。また、前記挿入糸５の振り幅が、図１４のように、前記畝部４を形成する編目列７のウエル数Ｎの整数倍でない場合、畝部４の端部以外の部分で挿入糸５が折り返されて編成係止されることになり、挿入糸５の張力により、畝部４を形成する編目列７は挿入糸５の編成係止された部分が開いて畝部４がゆがみ、さらには畝部４を形成することが困難となる虞がある。
【００３２】
前記挿入糸５の畝部４を形成する編目列７への挿入は、上述したように、隣り合う二列の畝部４，４に挿入されている場合は、それぞれの畝部４の外側両端部、すなわち両畝部４，４が近接する内側端部とは反対側の端部の編目列７，７に対し、また、一列の畝部４にのみ挿入されている場合は、該畝部４の両端部の編目列７，７に対し、挿入糸５が編成係止されて折り返し挿入されることが、前記の各畝部４の編目列７を結束する上で必要である。なお、隣り合う三列以上の畝部に跨って挿入される場合には、畝部４を形成する編目列７のウエル数によっては編成が困難になり、実施上好ましくない。
【００３３】
本発明のダブルラッセル地１０において、橋渡し挿入部分５ａの割合は２０〜１００％の範囲、更には２０〜７０％の範囲であることが好ましい（例えば図８〜図１０）。橋渡し挿入部分５ａの割合が２０％未満である場合は、隣り合う二列の畝部４，４同士の橋渡しが少なくなり、畝部４がコース方向（編地幅方向）にずれる虞がある。
【００３４】
本発明における橋渡し挿入部分５ａの割合は、下記式によって求められる。また、繰返し単位において挿入糸５を隣り合う二列の畝部４，４に橋渡し挿入した部分の数（コース数）Ａと、繰返し単位におけるコース数Ｂを図３に示す。 
橋渡し挿入部分の割合（％）  ＝  Ａ／Ｂ×１００
Ａ：繰返し単位において挿入糸を隣り合う二列の畝部に橋渡し挿入した部分の数
Ｂ：繰返し単位におけるコース数
【００３５】
本発明の畝部４を形成する編目列７としては、特に限定はなく、鎖編組織、デンビ編組織、コード編組織など従来公知の編組織からなる編目列を、その目的や用途に応じて適宜選択可能である。例えば、畝状ダブルラッセル地１０に起毛を行なう場合には、畝部４の表面をよりフラットに形成し均一に起毛が行なえるという観点から、鎖編組織からなる編目列７と挿入糸５の組み合わせによって畝部４を形成することが好ましい。
【００３６】
さらに、鎖編組織からなる編目列７と挿入糸５の組み合わせによって畝部４を形成する場合は、図７の編組織及び図１１の説明図のように、畝部４を形成する側の地組織２の編成において、鎖編の編目列７に対し一列の畝部につき一本の割合で配されて挿入される挿入糸５について、編成係止して折り返すウエル位置を、ウエル方向（編方向）に適宜間隔（適宜コース数の間隔）毎に、例えば畝部４を形成する編目列７のウエル数Ｎの１／２Ｎのウエル分コース方向（編地幅方向）に移動させて、該挿入５糸で結束する編目列７を変更することにより、図１１のように畝部４が市松模様調をなす畝状ダブルラッセル地１０を形成することも可能である。
【００３７】
本発明の畝部４を形成する一組の編目列７のウエル数Ｎは、２〜１０ウエルの範囲、更には３〜７ウエルの範囲が好ましい。前記編目列７のウエル数Ｎが２ウエル未満の場合は、畝部４の形成が困難で、目的とする意匠が得られない虞がある。前記編目列７のウエル数Ｎが１０ウエルを超える場合は、編目列に対して挿入糸５による張力が小さく畝部４を形成する編目列７を十分に結束できず、畝部４の編目列７の隙間が大きくなったり、表面がフラットにならなかったりして、畝部４がゆがむ虞がある。
【００３８】
上記のようにして得られる図２に示す本発明の畝状ダブルラッセル地１０において、前記挿入糸５が隣り合う二列の畝部４，４に適宜の間隔で橋渡し挿入されることにより、畝部４，４同士が互いに挿入糸５によって橋渡しされるため、畝部４のコース方向（編地幅方向）に対してのずれが防止され、まっすぐな畝部４を形成することができる。
【００３９】
また、本発明の畝状ダブルラッセル地１０において、前記挿入糸５は、前記畝部４を形成する編目列７に対して下部（連結糸３側）に位置することになるため、該畝部４の意匠への影響が無く、また畝状ダブルラッセル地１０を起毛する場合には、該畝部４を形成する編目列だけを起毛することが可能である。
【００４０】
さらに、例えば畝状ダブルラッセル地１０に垂直方向に負荷を加えて連結糸３が屈曲して畝部４と畝部４との間から突出しそうな場合においても、挿入糸５の橋渡し挿入部分５ａにより連結糸３の突出が防止されるため、耐スクラッチ性が良好である。
【００４１】
また、上述のように挿入糸５の橋渡し挿入部分５ａによって畝部４のコース方向（編地幅方向）に対してのずれを防止できるため、本発明の畝状ダブルラッセル地１０の連結糸３は畝状の地組織２と非畝状の地組織１を直交して連結することが可能である。これにより、畝部４と畝部４の間に連結糸３が露出することのない、意匠性に優れた畝状ダブルラッセル地１０を提供することが可能である。
【００４２】
本発明において用いられる繊維の素材は特に限定されるものではなく、天然繊維、再生繊維、半合成繊維、合成繊維など、従来公知の繊維を用途に応じて適宜選択することが可能であるが、物性に優れるという理由により合成繊維が好ましく、ポリエステルがより好ましい。
【００４３】
本発明において用いられる糸条の形態は特に限定されるものでなく、紡績糸、マルチフィラメント糸、モノフィラメント糸、加工糸など従来公知の形態の糸条を用途に応じて適宜選択することが可能である。なかでも、畝部を形成する糸としては、起毛性に優れるという理由によりマルチフィラメント糸が好ましく、嵩高加工されたマルチフィラメント糸がより好ましい。一方、連結糸としては、保型性に優れるという理由によりモノフィラメント糸が好ましい。
【００４４】
本発明において用いられる糸条の繊度は特に限定されるものでないが、３３〜４４０ｄｔｅｘであることが好ましい。糸条の繊度が３３ｄｔｅｘ未満であると、ダブルラッセル地の物性を満足できない虞がある。糸条の繊度が４４０ｄｔｅｘを越えると、編成が困難になったり、ダブルラッセル地の風合いや触感が損なわれたりする虞がある。
【００４５】
また、糸条がマルチフィラメント糸である場合の単糸繊度も特に限定されるものでないが、０．５〜３ｄｔｅｘであることが好ましい。単糸繊度が０．５ｄｔｅｘ未満であると、ダブルラッセル地の物性を満足できない虞がある。単糸繊度が３ｄｔｅｘを越えると、ダブルラッセル地の風合いや触感、起毛性が損なわれる虞がある。
【実施例】
【００４６】
以下、実施例により本発明をさらに詳しく説明するが、本発明は以下の実施例に限定されるものではない。なお、実施例中における各評価は以下の方法に従った。
【００４７】
（１）畝部の歪
畝状ダブルラッセル地を目視評価し、以下の基準に従って判定した。 
○：歪がほとんど無い
△：歪が若干目立つ
×：歪がかなり目立つ、または明瞭な畝部が形成されない
【００４８】
（２）起毛性
起毛された畝状ダブルラッセル地を目視評価し、以下の基準に従って判定した。 
○：畝部のみが均一に起毛されている
△：畝部の中央のみが起毛されている
×：畝部以外の部分も起毛されている
【００４９】
（３）耐スクラッチ性
幅５０ｍｍ、長さ２２０ｍｍの試験片をタテ・ヨコ方向から各３枚採取し、図５に示す形状にカットする。次に畝状の地組織を上にして、摩擦試験機Ｉ形（クロックメーター：安田精機製作所製）の試験片台上に固定する。 
摩擦子の先端に２５ｍｍ×２５ｍｍの面ファスナー（ＹＫＫクロックロンＡＤＮマッシュルームタイプ：ＹＫＫ製）を貼り付け、摩擦子荷重を２００ｇｆとして、試験片上１００ｍｍの間を毎分３０回往復の速度で、６往復摩擦し、試験片の状態を確認する。 
試験片の状態は、目視にて確認し、以下の基準に従って判定した。 
５級：全く外観に変化が無く、糸抜けが無い
４級：わずかに外観に変化が認められるが、糸抜けが無い
３級：明らかに外観変化が認められ、ループが発生している（糸が抜けかかった状態）
２級：外観変化がやや著しく、糸抜けが有る
１級：外観変化が著しく、糸抜けが有る
【００５０】
[実施例１]
ダブルラッセル編機（ＲＤ６ＤＰＬＭ−７７Ｅ−２２Ｇ、カールマイヤー社製）を使用して、図６に示すように、筬Ｌ１、Ｌ２で導糸する編糸により非畝状の地組織を編成し、筬Ｌ４、Ｌ５で導糸する編糸により畝状の地組織を編成し、筬Ｌ３で導糸する編糸により両地組織を連結して畝状ダブルラッセル地を編成した。このとき、筬Ｌ４で導糸する編糸により畝部を形成する鎖編の編目列を編成し、筬Ｌ５により１イン、４アウト（すなわち、１本糸入れ、４本糸抜きの配列）で導糸する編糸を挿入糸として、図８のように、前記鎖編の編目列７が結束されて畝部４となるように、所要のコースで畝部４のウエル数Ｎの２倍の振り幅にして隣り合う二列の畝部４に橋渡し挿入し、畝部端部のウエル位置で折り返すように挿入編成した。 
得られた畝状ダブルラッセル地の挿入糸５の橋渡し挿入部分５ａの割合は５０％（Ａ：６コース、Ｂ：１２コース）であり、畝部４のウエル数は５であった。 
上記畝状ダブルラッセル地を１９０℃で１分間プレセットした後、液流染色機にて１３０℃で３０分間染色し、本発明の畝状ダブルラッセル地を得た。 
次に、この畝状ダブルラッセル地を１５０℃で乾燥し、針布起毛機にて畝状の地組織を構成する地糸を起毛後、１９０℃で１分間仕上げセットを行い、本発明の畝状ダブルラッセル地の起毛品を得た。 
得られた畝状ダブルラッセル地の性能を表１に示す。
【００５１】
［実施例２］
畝状の地組織の編成において、図９のように、挿入糸５の橋渡し挿入部分５ａの割合を１００％（Ａ：２コース、Ｂ：２コース）とした以外は、実施例１と同様に実施し、本発明の畝状ダブルラッセル地およびその起毛品を得た。 
得られた畝状ダブルラッセル地の性能を表１に示す。
【００５２】
[実施例３］
畝状の地組織の編成において、筬Ｌ４、Ｌ５によりそれぞれ３イン、３アウト（すなわち、３本糸入れ、３本糸抜きの配列）で交互に導糸する編糸により畝部を形成する１×３のコード編組織を編成し、筬Ｌ６により１イン、５アウト（すなわち、１本糸入れ、５本糸抜きの配列）で導糸する編糸を挿入糸として、図１０のように、コード編組織の編目列７が畝部４となるように橋渡し挿入して編成した以外は、実施例１と同様に実施し、本発明の畝状ダブルラッセル地およびその起毛品を得た。得られた畝状ダブルラッセル地の挿入糸５の橋渡し挿入部分５ａの割合は３３％（Ａ：４コース、Ｂ：１２コース）であり、畝部４のウエル数は６であった。 
得られた畝状ダブルラッセル地の性能を表１に示す。
【００５３】
［実施例４］
畝状の地組織の編成において、筬Ｌ５により１イン、３アウト（すなわち、１本入れ、３本糸抜きの配列）で導糸する編糸を挿入糸として、図１１のように、鎖編の編目列７が結束されて畝部４となるように、畝部４のウエル数Ｎの２倍の振り幅にして隣り合う二列の畝部４，４に橋渡し挿入し、ウエル方向（編方向）に６コース編成後、鎖編の編目列７に対し編成係止して折り返すウエル位置をコース方向（編地幅方向）に移動して、再びウエル方向に６コース挿入編成した後、元の位置に戻すことを繰り返して挿入編成した以外は、実施例１と同様に実施し、本発明の畝状ダブルラッセル地およびその起毛品を得た。
得られた畝状ダブルラッセル地の挿入糸５の橋渡し挿入部分５ａの割合は８６％（Ａ：１２コース、Ｂ：１４コース）であり、畝部４のウエル数は４であった。 
得られた畝状ダブルラッセル地の性能を表１に示す。
【００５４】
［比較例１］
畝状の地組織の編成において、図１２のように、挿入糸５を一列の畝部４のみに挿入し橋渡し挿入部分の割合を０％（Ａ：０コース、Ｂ：２コース）とした以外は、実施例１と同様に実施し、畝状ダブルラッセル地およびその起毛品を得た。 
得られた畝状ダブルラッセル地の性能を表１に示す。
【００５５】
［比較例２］
畝状の地組織の編成において、筬Ｌ４で導糸する編糸により畝部を形成する鎖編の編目列を編成し、筬Ｌ５により３イン、２アウト（すなわち、３本糸入れ、２本糸抜きの配列）で導糸する編糸を挿入糸として、図１３のように、鎖編の編目列７が畝部に相当する組織をなすように、該畝部に相当する５ウエルの編目列７毎に３本の挿入糸５を挿入して、一部のコースにおいて橋渡し挿入して編成した以外は、実施例１と同様に実施し、ダブルラッセル地およびその起毛品を得た。本比較例においては、畝部が形成されなかった。 
得られたダブルラッセル地の性能を表１に示す。
【００５６】
［比較例３］
畝状の地組織の編成において、筬Ｌ４により導糸する編糸によって畝部を形成する鎖編の編目列を編成し、筬Ｌ５に１イン、４アウト（すなわち、１本糸入れ、４本糸抜きの配列）で導糸する編糸を挿入糸５として、図１４のように、一部のコースにおいて、畝部のウエル数Ｎの１．６倍の振り幅で隣り合う二列の畝部４，４のうちの一方の畝部４の中央部の編目列７に対し編成係止するように橋渡し挿入して編成した以外は、実施例１と同様に実施し、ダブルラッセル地およびその起毛品を得た。本比較例においては、明瞭な畝部が形成されなかった。 
得られたダブルラッセル地の性能を表１に示す。
【表１】
2008255508.tif 000003
【産業上の利用可能性】
【００５７】
本発明の畝状ダブルラッセル地は、衣料、産業資材、車両内装材その他の用途に好適に使用できる。
【図面の簡単な説明】
【００５８】
【図１】ダブルラッセル編機の概略構成図である。
【図２】本発明の畝状ダブルラッセル地の斜視断面の概略図である。
【図３】本発明の畝部の編目列と挿入糸による構成形態の説明図である。
【図４】(ａ)（ｂ）のそれぞれ挿入糸による張力を説明する図である。
【図５】耐スクラッチ性の測定サンプルを説明する図である。
【図６】実施例１の組織図である。
【図７】実施例４の組織図である。
【図８】実施例１の畝部の編目列と挿入糸の説明図である。
【図９】実施例２の畝部の編目列と挿入糸の説明図である。
【図１０】実施例３の畝部の編目列と挿入糸の説明図である。
【図１１】実施例４の畝部の編目列と挿入糸の説明図である。
【図１２】比較例１の畝部の編目列と挿入糸の説明図である。
【図１３】比較例２の編目列と挿入糸の説明図である。
【図１４】比較例３の編目列と挿入糸の説明図である。
【符号の説明】
【００５９】
１…非畝状の地組織、２…畝状の地組織、３…連結糸、４…畝部、５…挿入糸、５ａ…橋渡し挿入部分、５ｂ…編成係止した部分、６…編目ループ、７…編目列、１０…畝状ダブルラッセル地、Ａ…繰返し単位において挿入糸を隣り合う二列の畝部に橋渡し挿入した部分の数、Ｂ…繰返し単位におけるコース数
【図１】
2008255508.tif 000004
【図２】
2008255508.tif 000005
【図３】
2008255508.tif 000006
【図４】
2008255508.tif 000007
【図５】
2008255508.tif 000008
【図６】
2008255508.tif 000009
【図７】
2008255508.tif 000010
【図８】
2008255508.tif 000011
【図９】
2008255508.tif 000012
【図１０】
2008255508.tif 000013
【図１１】
2008255508.tif 000014
【図１２】
2008255508.tif 000015
【図１３】
2008255508.tif 000016
【図１４】
2008255508.tif 000017